(57)【特許請求の範囲】
【請求項１】
ディスプレイ窓を備えたディスプレイケースと、ディスプレイケースが連結される固定ケースとを有し、
固定ケースに対してディスプレイケースが、ディスプレイ窓に対する直交軸周りに回転操作可能な携帯端末装置であって、
ディスプレイ窓に表面の画像を臨ませてディスプレイケースに配置されるベース画像プレートと、
前記直交軸周りの回転に伴って往復移動するスライダと、
スライダに連結されて表示位置と非表示位置間でスライド駆動され、表示位置においてベース画像プレート上に積層されてディスプレイ窓に臨むとともに、非表示位置においてベース画像上面から退避する二次画像プレートと、
を有する携帯端末装置。
【請求項２】
前記二次画像プレートは、スライド方向に二次画像プレートの表面を分割する複数の舌片を備えてベース画像プレート下方に重ねられるとともに、
ベース画像プレートには、前記舌片が挿通可能なスリットが形成され、
前記二次画像プレートは、表示位置において前記舌片がスリットからベース画像プレートの上面に突出してベース画像プレート上の画像を覆うとともに、
非表示位置において舌片がスリットから退避してディスプレイ窓にベース画像プレートを表示させる請求項１記載の携帯端末装置。
【請求項３】
前記ディスプレイケースは、初期回転位置から時計、および反時計双方向に回転操作可能に形成されるとともに、前記スライダは、ディスプレイケースのいずれか一方への回転に同期してスライド駆動される第１スライダと、ディスプレイケースの他方への回転に同期して前記第１スライダを従えてスライド駆動される第２スライダとから形成され、
かつ、前記二次画像プレートは、第２スライダに連結される上層画像プレートと、
第１スライダに連結されて上層画像プレート下に積層され、スライド動作とともに、舌片が上層画像プレートのスリットから進退する下層画像プレートとからなり、
ディスプレイケースの初期回転位置において、上下層画像プレートの舌片がベース画像プレートのスリットからベース画像プレート上に突出する請求項２記載の携帯端末装置。
【発明の詳細な説明】
【技術分野】
【０００１】
本発明は、携帯端末装置に関するものである。
【背景技術】
【０００２】
携帯電話等の携帯端末のモックアップとしては、特許文献１に記載のものが知られている。この従来例において、モックアップは、操作キーが配置された第２筐体（固定ケース）に第１筐体（ディスプレイケース）を折り畳み操作可能に連結して形成され、ディスプレイケースには、実際の動作モデルにおける画像等を表示した疑似表示部が形成される。
【０００３】
一方、近時、携帯端末装置には、特許文献２に記載されるように、ディスプレイケースを固定ケースに対して折り畳み操作に加え、折り畳み回転軸に対する直交軸周りに回転操作可能なものが多用されるに至っている。
【０００４】
かかる携帯端末装置においては、ディスプレイケースを折り畳み回転軸に対する直交軸周りに回転させても、例えば、ディスプレイに表示される画像が回転することなく、姿勢を保持したまま、縦長から横長に、あるいはその反対になったり、さらには、別の画像が表示されるように構成されるが、特定の画像を固定して疑似表示部を形成する上記従来例においては、ディスプレイケースの回転操作とともに疑似表示部の画像も回転して姿勢が変わってしまう。
【０００５】
この結果、モックアップの表示が実物の表示と異なってしまういう欠点がある。
【特許文献１】特開２００２-１１１８２０号公報
【特許文献２】特開２００３-３１９０４３号公報
【発明の開示】
【発明が解決しようとする課題】
【０００６】
本発明は、以上の欠点を解消すべくなされたものであって、実物の再現性の高い携帯端末装置の提供を目的とする。
【課題を解決するための手段】
【０００７】
携帯端末装置は、固定ケース３にディスプレイケース２を連結して形成される。ディスプレイケース２は内部に収容されるベース画像プレート５、あるいは二次画像プレート７の表面に描かれた画像を模型操作者に示すためのディスプレイ窓１を備え、固定ケース３に対して、ディスプレイ窓１に直交する軸４周りに回転操作可能に連結される。
【０００８】
また、ディスプレイケース２には、ディスプレイケース２の回転操作に伴ってスライド駆動されるスライダ６が配置され、このスライダ６に連結される二次画像プレート７を表示位置と非表示位置との間で駆動する。ディスプレイケース２が初期回転位置にあるとき、二次画像プレート７はベース画像プレート５上に積層される表示位置に位置し、ディスプレイケース２の回転操作に伴って非表示位置に移行する。二次画像プレート７は非表示位置への移行によりベース画像プレート５上から退避し、以後、ディスプレイ窓１にはベース画像プレート５の画像が表示される。
【０００９】
したがってこの発明において、操作者のディスプレイケース２への回転操作に伴ってディスプレイ窓１に表示される画像も変化するため、より実機に近い操作感を出すことができる。
【００１０】
スライダ６は、ディスプレイケース２の回転に同期して往復動作するものであれば周知の回転-往復運動変換機構を利用することができる。また、ディスプレイケース２が初期回転位置を中心として時計、反時計の両回りに回転操作可能に形成される場合には、後に実施の形態として詳しく示すように、２枚の二次画像プレート７を使用することにより、ディスプレイケース２の回転姿勢に対応させて３種類の画像を表示することができる。
【００１１】
二次画像プレート７は、ディスプレイ窓１がディスプレイケース２の一部に形成されて残余の領域を二次画像プレート７の退避スペースとして利用できる場合には、非表示位置と表示位置との間をスライダ６により往復駆動されるシート体として形成すれば足りるが、十分な退避スペースを確保することができない場合には、二次画像プレート７の退避位置をベース画像プレート５の下層に設定することができる。
【００１２】
この場合、二次画像プレート７には、スライダ６のスライド方向に複数の舌片８が並べられる。これら舌片８は、二次画像プレート７が表示位置にあるときにベース画像プレート５のスリット９から飛び出してベース画像プレート５を覆い、ディスプレイ窓１に表示される。これに対し、非表示位置において舌片８は、スリット９からの突出位置から退避し、ディスプレイ窓１にはベース画像プレート５の画像が表示される。
【００１３】
この結果、ベース画像プレート５上を覆う表示位置と、ベース画像プレート５上から退避する非表示位置との間のストロークは、舌片８のストローク方向の長さしか要しないために、二次画像プレート７の退避スペースを小さくすることができる。
【発明の効果】
【００１４】
本発明によれば、ディスプレイケースの回転操作とともにディスプレイ窓の絵柄が変化するために、実物の再現性を高めることができる。
【発明を実施するための最良の形態】
【００１５】
図１に携帯電話のモックアップとして構成された本発明の実施の形態を示し、固定ケース３にディスプレイケース２を連結して形成される。
【００１６】
ディスプレイケース２は、折り畳み回転軸１４により連結ベース１５が回転操作自在に連結される連結ベース１５を介して固定ケース３に連結されており、図１に示すように、固定ケース３に配置されるキートップ部３ａと、ディスプレイケース２のディスプレイ窓１が外部に現れる使用回転姿勢と、図１（ｂ）において鎖線で示す折り畳み姿勢との間で回転操作することができる。  また、ディスプレイケース２は、連結ベース１５上に立設される首振り回転軸４を使用して連結ベース１５に連結され、図１（ａ）に示すように首振り回転軸４周り回転操作することができる。この実施の形態において、ディスプレイケース２は、図１（ａ）で実線で示す初期回転位置を中心に、時計、および反時計双方向に９０°回転操作することができる。
【００１７】
図２に示すように、上記ディスプレイケース２には第１、第２スライダ６Ａ、６Ｂが首振り回転軸４を中止として左右対称位置に配置される。これら第１、第２スライダ６Ａ、６Ｂは、ディスプレイケース２に形成されるガイド溝２ａに沿って、図２（ａ）に示す上方ストローク終端位置から図２（ａ）において下方に摺動自在であり、引張スプリング１７により上方ストローク終端位置側に付勢される。引張スプリング１７を装着するために、ディスプレイケース２と第１、第２スライダ６Ａ、６Ｂには、引張スプリング１７のフック部１７ａを係止するためのバネ掛け部２１が形成されるとともに、ガイド溝２ａ上端には第１、第２スライダ６Ａ、６Ｂの上方ストローク終端を決定するためのストッパ壁２ｂが形成される。
【００１８】
また、第１、第２スライダ６Ａ、６Ｂの対向辺には、首振り回転軸４から膨隆する扇形状のカム部１８との干渉を防止するための凹部６ａが形成され、これら凹部６ａ形成辺終端に被押圧片６ｂが突設される。被押圧片６ｂは、図２（ｂ）に示すように、ディスプレイケース２が所定角度回転した際に上記カム部１８に干渉する位置に配置され、各被押圧片６ｂ、６ｂには係止突部６ｃが突設される。図２に示すように、第１スライダ６Ａの係止突部６ｃは第２スライダ６Ｂの係止突部６ｃに下方から係止しており、第１スライダ６Ａは、第２スライダ６Ｂの下方へのスライド動作に連動する。
【００１９】
以上の構成の下、図２（ｂ）に示すように、ディスプレイケース２が固定ケース３に対して時計回りに回転操作されると、第１スライダ６Ａが固定ケース３側のカム部１８に接近し、やがて接触する。この状態からさらにディスプレイケース２を回転させると、第１スライダ６Ａはカム部１８に押されて下方にスライドし、９０°回転した際に下方ストローク終端に達する。
【００２０】
これに対し、ディスプレイケース２が反時計回転した場合には、第２スライダ６Ｂがカム部１８に押されて下方にスライドする。上述したように、第２スライダ６Ｂの係止突部６ｃには第１スライダ６Ａの係止突部６ｃが係止しているために、第２スライダ６Ｂのスライドに伴って第１スライダ６Ａも下方に押し込まれる結果、第１、第２スライダ６Ｂが下方ストローク終端位置に移動する。
【００２１】
上記第１、第２スライダ６Ａ、６Ｂと、ディスプレイ窓１を閉塞する透明プレート１９に挟まれるようにしてベース画像プレート５、および上下層画像プレート７Ａ、７Ｂが配置される。ベース画像プレート５の上端と、上下層画像プレート７Ａ、７Ｂの下端には連結孔２０が穿孔されるとともに、ディスプレイケース２と第１、第２スライダ６Ａ、６Ｂにはプレート連結ボス２２が突設される。
【００２２】
ディスプレイケース２側のプレート連結ボス２２はガイド溝２ａの上方に突設されるとともに、第１、第２スライダ６Ｂ側のプレート連結ボス２２は各々の下端に形成され、ベース画像プレート５の連結孔２０にディスプレイケース２のプレート連結ボス２２が挿入される。また、下層画像プレート７Ｂの連結孔２０には第１スライダ６Ａのプレート連結ボス２２が、上層画像プレート７Ａ側の連結孔２０には第２スライダ６Ｂのプレート連結ボス２２が嵌合される。
【００２３】
図４に示すように、ベース画像プレート５は、表面プレート２６の裏面に背面プレート２７を重ねて形成される。表面プレート２６、および背面プレート２７は、板厚がほぼ０．１ｍｍ程度の適度の可撓性を有する合成樹脂製シートにより形成される。図４（ａ）に示すように、表面プレート２６と背面プレート２７には溝状開口２３と突片２４とが一定間隔で形成されており、図４（ｂ）、（ｃ）に示すように、一方の突片２４を他方の溝状開口２３に交互に挿入することにより組み合わせられる。表面プレート２６と背面プレート２７とを組み合わせた状態で、ベース画像プレート５には、所定間隔で複数のスリット９が形成される。理解を容易にするために、図４（ｃ）および図５（ｃ）、図６（ｃ）において、表面プレート２６にハッチングを施して示す。
【００２４】
また、図５に示すように、下層画像プレート７Ｂは、上述したベース画像プレート５と同様に、表面プレート３０と背面プレート３１とを重ね合わせて形成される。これら表面プレート３０と背面プレート３１には、溝状開口２３と舌片８とが所定間隔で形成されており、上述したベース画像プレート５と同様に、一方の舌片８を他方の溝状開口２３に交互に挿入することにより組み合わせられ、所定間隔で複数のスリット９が形成される。
【００２５】
さらに、上層画像プレート７Ａも、図６に示すように、上述した上層画像プレート７Ａと同様に、表面プレート２８と背面プレート２９とを、一方の舌片８を他方の溝状開口２３に交互に挿入することにより組み合わせて形成され、所定間隔で複数のスリット９を備える。
【００２６】
以上の画像プレート５、７Ａ、７Ｂは、図７に示すように、下層側から下層画像プレート７Ｂ、上層画像プレート７Ａ、ベース画像プレート５の順に重ねられて組み合わされる。組み合わせに際し、下層画像プレート７Ｂの舌片８は上層画像プレート７Ａのスリット９から上層画像プレート７Ａ上に突出させ、さらに、上下層画像プレート７Ａ、７Ｂの舌片８をベース画像プレート５のスリット９からベース画像プレート５上に突出させる。
【００２７】
画像プレート５、７Ａ、７Ｂは以上の状態、すなわち、上下層画像プレート７Ａ、７Ｂ双方が、舌片８がベース画像プレート５の上面に突出する表示位置に位置する状態で初期回転状態のディスプレイケース２に装着される。装着状態における画像プレート５、７Ａ、７Ｂの位置関係の理解を容易にするために、図７（ｃ）および図８（ｂ）、（ｄ）において、ベース画像プレート５は点線、上層画像プレート７Ａは実線、下層画像プレート７Ｂは太実線で示される。
【００２８】
図７（ｃ）に示すように、ディスプレイケース２が初期回転位置にあるときには、下層画像プレート７Ｂの舌片８が最上位に位置しており、その下方にある上層画像プレート７Ａ、およびベース画像プレート５を覆うために、ディスプレイ窓１からは当該下層画像プレート７Ｂの舌片８に表示された画像が現れる。
【００２９】
この状態からディスプレイケース２を図３（ａ）に示すように、時計回りに回転操作すると、第１スライダ６Ａのみが下方ストローク終端位置に移動し、これに伴って、図８（ａ）に示すように、第１スライダ６Ａに連結された下層画像プレート７Ｂがスライド駆動されて、舌片８がベース画像プレート５表面から退避する非表示位置に移動する。下層画像プレート７Ｂの非表示位置への移動により、図８（ｂ）に示すように、最上層には上層画像プレート７Ａがの舌片８が位置し、以後、上層画像プレート７Ａに表示された画像がディスプレイ窓１に表示される。
【００３０】
この首振り姿勢からディスプレイケース２を初期回転位置まで復帰させると、引張スプリング１７の復原力により第１スライダ６Ａは上部ストローク終端まで移動し、これに伴って下層画像プレート７Ｂの舌片８が再び最上層に位置する。次いで、ディスプレイケース２を初期回転位置から反時計回りに９０°回転操作すると、第２スライダ６Ｂと、この第２スライダ６Ｂに連動する第１スライダ６Ａの双方が下方終端まで移動する。
【００３１】
図８（ｄ）に示すように、第１、第２スライダ６Ａ、６Ｂの移動により、第１、第２スライダ６Ａ、６Ｂは、舌片８がベース画像プレート５の下面に退避する非表示位置に移動し、以後、ディスプレイ窓１には、最上層となったベース画像プレート５の画像が表示される。
【００３２】
図９にスライダ６の変形例を示す。この変形例において、第１、第２スライダ６Ａ、６Ｂは上端に検知杆部６ｅを備えてディスプレイケース２に上下方向スライド自在に装着される。第１、第２スライダ６Ａ、６Ｂの下端部とディスプレイケース２との間には圧縮スプリング２５が介装され、第１、第２スライダ６Ａ、６Ｂを図９（ａ）に示す上部ストローク終端側に付勢する。
【００３３】
また、第１スライダ６Ａには、第２スライダ６Ｂ側に延設される連結杆部６ｆが突設され、先端に形成された係止突部６ｃが第１スライダ６Ａ側の係止突部６ｃに下方側から係止する。
【００３４】
図９（ａ）に示す初期回転位置からディスプレイケース２を時計回りに回転操作すると、図９（ｂ）に示すように、第１スライダ６Ａの検知杆部６ｅがディスプレイケース２側のカム部１８に衝接し、第１スライダ６Ａが押し下げられる。この結果、図８（ｂ）に示すように、最上層に上層画像プレート７Ａが位置し、ディスプレイ窓１に上層画像プレート７Ａの画像が表示される。
【００３５】
これに対し、ディスプレイケース２が反時計回りに回転駆動された場合には、図９（ｃ）に示すように、カム部１８に押された第２スライダ６Ｂ、および係止突部６ｃを介して第２スライダ６Ｂに押される第１スライダ６Ａの双方が下方ストローク終端位置に移動し、図８（ｃ）、（ｄ）に示すように、ベース画像プレート５の画像がディスプレイ窓１に現れる。
【００３６】
なお、図８、９において、第１、第２スライダ６Ｂは、ディスプレイケース２のカム部１８により押動されているが、図１０に示すように、カム部１８をピニオン３２として、第１、第２スライダ６Ｂのラック３３に噛合させることもできる。
【図面の簡単な説明】
【００３７】
【図１】本発明における携帯端末装置の展示用模型の外観を示す図で、（ａ）は正面図、（ｂ）は側面図である。
【図２】本発明のディスプレイケースの回転機構を示す図で、（ａ）は初期回転位置、（ｂ）はディスプレイケースを時計方向に回転操作した図である。
【図３】スライダの移動を示す図で、（ａ）はディスプレイケースを時計回りに９０°回転させた状態を示す図、（ｂ）はディスプレイケースを反時計回りに９０°回転させた状態を示す図である。
【図４】ベース画像プレートを示す図で、（ａ）はベース画像プレートの形成を示す図、（ｂ）はベース画像プレートの正面図、（ｃ）は図４（ｂ）の４Ｃ-４Ｃ線断面図である。
【図５】下層画像プレートを示す図で、（ａ）は下層画像プレートの形成を示す図、（ｂ）は下層画像プレートの正面図、（ｃ）は図５（ｂ）の５Ｃ-５Ｃ線断面図である。
【図６】上層画像プレートを示す図で、（ａ）は上層画像プレートの形成を示す図、（ｂ）は上層画像プレートの正面図、（ｃ）は図６（ｂ）の６Ｃ-６Ｃ線断面図である。
【図７】画像プレートを示す図で、（ａ）は画像プレートの形成を示す図、（ｂ）は画像プレートの正面図、（ｃ）は図７（ｂ）の７Ｃ-７Ｃ線断面図である。
【図８】画像プレートの動作を示す図で、（ａ）は上層画像プレートを非表示位置に移動させた状態を示す図、（ｂ）は図８（ａ）の８Ｂ-８Ｂ線断面図、（ｃ）は下層画像プレートを非表示位置に移動させた状態を示す図、（ｅ）は図８（ｃ）の８Ｄ-８Ｄ線断面図である。
【図９】第１の変形例を示す図で、（ａ）は要部拡大図、（ｂ）はディスプレイケースを時計回りに９０°回転させた状態を示す図、（ｃ）はディスプレイケースを反時計回りに９０°回転させた状態を示す図である。
【図１０】第２の変形例を示す図で、（ａ）は要部拡大図、（ｂ）はディスプレイケースを時計回りに９０°回転させた状態を示す図、（ｃ）はディスプレイケースを反時計回りに９０°回転させた状態を示す図である。
【符号の説明】
【００３８】
１    ディスプレイ窓
２    ディスプレイケース
３    固定ケース
４    軸
５    ベース画像プレート
６    スライダ
６Ａ  第１スライダ
６Ｂ  第２スライダ
７    二次画像プレート
７Ａ  上層画像プレート
７Ｂ  下層画像プレート
８    舌片
９    スリット
【図１】
0004767921.tif 000002
【図２】
0004767921.tif 000003
【図３】
0004767921.tif 000004
【図４】
0004767921.tif 000005
【図５】
0004767921.tif 000006
【図６】
0004767921.tif 000007
【図７】
0004767921.tif 000008
【図８】
0004767921.tif 000009
【図９】
0004767921.tif 000010
【図１０】
0004767921.tif 000011